(57)【特許請求の範囲】
【請求項１】
カメラボディに設けられた複数のボディ側電気接点それぞれに接続可能な複数のレンズ側電気接点を有し、前記カメラボディに装着させた場合に、複数の前記ボディ側電気接点のそれぞれと複数の前記レンズ側電気接点のそれぞれとの間で電力と情報との伝達が行われる、前記カメラボディに着脱可能な交換レンズであって、
電圧レギュレータと、
前記電圧レギュレータの前記レンズ側電気接点側に設けられる入力側平滑コンデンサと、
前記入力側平滑コンデンサと、前記レンズ側電気接点の電源入力接点との間に設けられ、該電源入力接点への電流の逆流を防止するダイオードと、
前記電圧レギュレータの前記レンズ側電気接点側とは逆側に設けられる出力側平滑コンデンサと、
を備えることを特徴とする交換レンズ。
【請求項２】
請求項１に記載の交換レンズにおいて、
前記ダイオードに並列に接続され、前記電源入力接点に流れる電流をバイパスするＦＥＴと、
前記ＦＥＴのゲート端子状態を制御するマイコンと、
を備えることを特徴とする交換レンズ。
【請求項３】
請求項２に記載の交換レンズにおいて、
前記マイコンは、複数の前記ボディ側電気接点のそれぞれと複数の前記レンズ側電気接点のそれぞれとの間で伝達される情報に基づいて、前記カメラボディから前記交換レンズが取り外されたことを認識すること、
を特徴とする交換レンズ。
【請求項４】
請求項３に記載の交換レンズにおいて、
前記マイコンは、複数の前記ボディ側電気接点の少なくともいずれかと複数の前記レンズ側電気接点の少なくともいずれかとの間で伝達される、前記カメラボディと前記交換レンズとの通信同期を取るシリアル通信クロック信号に基づいて、前記カメラボディから前記交換レンズが取り外されたことを認識すること、
を特徴とする交換レンズ。
【請求項５】
複数のボディ側電気接点を有するカメラボディと、前記複数のボディ側電気接点それぞれに接続可能な複数のレンズ側電気接点を有し前記カメラボディに着脱可能な交換レンズとを備え、前記交換レンズを前記カメラボディに装着させた場合に、複数の前記ボディ側電気接点のそれぞれと複数の前記レンズ側電気接点のそれぞれとの間で電力と情報の伝達が行われるカメラシステムにおいて、
前記交換レンズは、
電圧レギュレータと、
前記電圧レギュレータの入力側に設けられる入力側平滑コンデンサと、
前記入力側平滑コンデンサと、前記レンズ側電気接点の電源入力接点との間に設けられ、該電源入力接点への電流の逆流を防止するダイオードと、
前記電圧レギュレータの前記レンズ側電気接点側とは逆側に設けられる出力側平滑コンデンサと、
を備えることを特徴とするカメラシステム。
【発明の詳細な説明】
【技術分野】
【０００１】
本発明は、レンズ鏡筒およびカメラシステムに関するものである。
【背景技術】
【０００２】
レンズ鏡筒が着脱可能であり、装着されたレンズ鏡筒に電力を供給可能なカメラがある（例えば特許文献１参照）。このようなカメラは、レンズ鏡筒が電気的に接続されたことを検出する接続検出部を備えている。そして、接続検出部による接続の検出に基づいて、レンズ鏡筒に電力を供給する。
【先行技術文献】
【特許文献】
【０００３】
【特許文献１】特開２００９−１５１１１７号公報
【発明の概要】
【発明が解決しようとする課題】
【０００４】
ところで、カメラにレンズ鏡筒を装着する方法として、レンズ鏡筒をカメラに接触させた状態で回転させることにより着脱するバヨネット方式が一般的である。しかしながら、バヨネット方式では、レンズ鏡筒をカメラに接触させた状態で着脱するため、カメラ側の電気接点とレンズ鏡筒側の電気接点において、本来接触すべきではない電気接点同士が接触してしまう。この接触の際、上記のようにカメラからレンズ鏡筒に供給されて内部のコンデンサなどに蓄えられていた電荷が、カメラの接点より流れ込む可能性がある。
【０００５】
本発明は、良好な電力供給および通信が可能なレンズ鏡筒およびカメラシステムを提供することを目的とする。
【課題を解決するための手段】
【０００６】
本発明は、以下のような解決手段により前記課題を解決する。
【０００７】
交換レンズを、カメラボディに設けられた複数のボディ側電気接点それぞれに接続可能な複数のレンズ側電気接点を有し、前記カメラボディに装着させた場合に、複数の前記ボディ側電気接点のそれぞれと複数の前記レンズ側電気接点のそれぞれとの間で電力と情報との伝達が行われる、前記カメラボディに着脱可能な交換レンズであって、電圧レギュレータと、前記電圧レギュレータの前記レンズ側電気接点側に設けられる入力側平滑コンデンサと、前記入力側平滑コンデンサと、前記レンズ側電気接点の電源入力接点との間に設けられ、該電源入力接点への電流の逆流を防止するダイオードと、前記電圧レギュレータの前記レンズ側電気接点側とは逆側に設けられる出力側平滑コンデンサと、を備える構成とした。
また、カメラシステムを、複数のボディ側電気接点を有するカメラボディと、前記複数のボディ側電気接点それぞれに接続可能な複数のレンズ側電気接点を有し前記カメラボディに着脱可能な交換レンズとを備え、前記交換レンズを前記カメラボディに装着させた場合に、複数の前記ボディ側電気接点のそれぞれと複数の前記レンズ側電気接点のそれぞれとの間で電力と情報の伝達が行われるカメラシステムにおいて、前記交換レンズは、電圧レギュレータと、前記電圧レギュレータの入力側に設けられる入力側平滑コンデンサと、前記入力側平滑コンデンサと、前記レンズ側電気接点の電源入力接点との間に設けられ、該電源入力接点への電流の逆流を防止するダイオードと、前記電圧レギュレータの前記レンズ側電気接点側とは逆側に設けられる出力側平滑コンデンサと、を備える構成とした。
【発明の効果】
【０００８】
良好な電力供給および通信が可能なレンズ鏡筒およびカメラシステムを提供することができる。
【図面の簡単な説明】
【０００９】
【図１】本実施形態のカメラシステムの概略図である。
【図２】本実施形態のレンズ鏡筒の概略図である。
【図３】本実施形態のカメラシステムの回路図である。
【図４】本実施形態のカメラにレンズ鏡筒を装着する方法を説明する図である。
【図５】カメラにレンズ鏡筒を着脱した場合におけるレンズ鏡筒の動作を説明する図（その１）である。
【図６】カメラにレンズ鏡筒を着脱した場合におけるレンズ鏡筒の動作を説明する図（その２）である。
【図７】カメラにレンズ鏡筒を着脱した場合におけるレンズ鏡筒の動作を説明する図（その３）である。
【図８】カメラにレンズ鏡筒を着脱した場合におけるレンズ鏡筒の処理の流れを示すフローチャートである。
【図９】レンズ鏡筒のロジック系電源用電気接点に対してダイオードおよびＦＥＴを接続しない場合のカメラシステムの回路図である。
【図１０】カメラシステムにおいて、対応しない電気接点同士が接続された例を示す図（その１）である。
【図１１】カメラシステムにおいて、対応しない電気接点同士が接続された例を示す図（その２）である。
【図１２】カメラシステムにおいて、対応しない電気接点同士が接続された例を示す図（その３）である。
【図１３】カメラシステムにおいて、対応しない電気接点同士が接続された場合の電流の流れを示す図（その１）である。
【図１４】カメラシステムにおいて、対応しない電気接点同士が接続された場合の電流の流れを示す図（その２）である。
【図１５】カメラシステムにおいて、対応しない電気接点同士が接続された場合の電流の流れを示す図（その３）である。
【発明を実施するための形態】
【００１０】
以下、本発明にかかるカメラシステム１の実施形態について、添付図面を参照しながら詳細に説明する。
図１は、本実施形態のカメラシステム１の概略図である。図２は、本実施形態のレンズ鏡筒１００の概略図である。図３は、本実施形態のカメラシステム１の回路図である。
【００１１】
カメラシステム１は、図１に示すようにレンズ鏡筒１００をカメラ１０のカメラ筐体１１に装着可能なシステムである。
図１および図３に示すように、カメラ１０は、カメラ筐体１１を備えており、カメラ筐体１１の内部にマウント部１２、カメラＣＰＵ１３、電源部１４、ＤＣ／ＤＣコンバータ１５、給電制御ＦＥＴ（Ｆｉｅｌｄ  Ｅｆｆｅｃｔ  Ｔｒａｎｓｉｓｔｏｒ：電界効果トランジスタ）１６，１９、プルアップ抵抗１７，２０、ＰＮＰトランジスタ１８および複数のカメラ側電気接点２１を備える。
【００１２】
カメラ筐体１１は、マウント部１２を介して、レンズ鏡筒１００を着脱自在に装着する。
マウント部１２は、マーキングＭＫ１と、複数のカメラ側爪部１２Ａとを備えており、バヨネット式と称されるマウント機構を形成している。図４を参照しながら、レンズ鏡筒１００をカメラ筐体１１に装着させる方法を説明する。まず、後述の複数のレンズ側爪部１０１Ａを、複数のカメラ側爪部１２Ａと重ならない状態（図４（ａ）参照）で、カメラ筐体１１と、後述のレンズ鏡筒１００とを接触させる（図４（ｂ）参照）。続いて、カメラ筐体１１とレンズ鏡筒１００とを接触させた状態で、マーキングＭＫ１と後述のマーキングＭＫ２の位置が一致するように、レンズ鏡筒１００を回転させる（図４（ｃ）参照）。これにより、複数のカメラ側爪部１２Ａと、後述の複数のレンズ側爪部１０１Ａとが機械的に係合し、カメラ筐体１１およびレンズ鏡筒１００の光軸方向への相対移動が制限される。
【００１３】
カメラＣＰＵ１３は、カメラ１０に供給される電源や、レンズ鏡筒１００と通信する操作関連の情報などを一括して管理し、カメラ１０の各部を制御するマイクロコンピュータである。カメラＣＰＵ１３は、内部にシリアルクロック出力素子１３Ａと、シリアルデータ出力素子１３Ｂと、シリアルデータ入力素子１３Ｃと、通信許可信号入力素子１３Ｄと、を備える。カメラＣＰＵ１３は、レンズ鏡筒１００との同期を取るために、カメラ１０が起動している場合においてシリアルクロック出力素子１３Ａからシリアルクロック信号を常に出力する。また、カメラＣＰＵ１３は、シリアルデータ出力素子１３Ｂおよびシリアルデータ入力素子１３Ｃにより、レンズ鏡筒１００とのシリアルデータの送受信を行う。
【００１４】
電源部１４は、陽極部Ｐ１および陰極部Ｍ１を有し、カメラ１０の各部に電力を供給する交換又は充電可能な電池である。電源部１４の陽極部Ｐ１は、ＤＣ／ＤＣコンバータ１５および給電制御ＦＥＴ１９に接続されている。また、電源部１４の陰極部Ｍ１は、グランドに接続されている。
【００１５】
ＤＣ／ＤＣコンバータ１５は、電源部１４、カメラＣＰＵ１３および給電制御ＦＥＴ１６に接続されている。ＤＣ／ＤＣコンバータ１５は、電源部１４から供給される電力を所定の電圧レベルに制御し、制御された電力をカメラＣＰＵ１３および給電制御ＦＥＴ１６に供給する。
【００１６】
給電制御ＦＥＴ１６は、カメラＣＰＵ１３、ＤＣ／ＤＣコンバータ１５および後述のロジック系電源用電気接点２１Ａに接続されている。給電制御ＦＥＴ１６は、マウント部１２を介してカメラ筐体１１にレンズ鏡筒１００が装着されたことに応じて、カメラＣＰＵ１３から制御信号が供給され、ＯＮ状態となる。すると、給電制御ＦＥＴ１６は、制御信号が供給されたことに応じて、ＤＣ／ＤＣコンバータ１５から供給される電力を後述のロジック系電源用電気接点２１Ａに供給する。
【００１７】
プルアップ抵抗１７は、給電制御ＦＥＴ１６のゲート・ソース間に接続される。プルアップ抵抗１７は、カメラＣＰＵ１３が動作を停止している場合において、給電制御ＦＥＴ１６を安定してＯＦＦさせる。
【００１８】
ＰＮＰトランジスタ１８は、カメラＣＰＵ１３、給電制御ＦＥＴ１９、プルアップ抵抗２０およびグランドに接続されている。ＰＮＰトランジスタ１８は、電源部１４から供給される電力がカメラＣＰＵ１３に直接供給されるのを防止する。また、ＰＮＰトランジスタ１８は、マウント部１２を介してカメラ筐体１１にレンズ鏡筒１００が装着されたことに応じて、カメラＣＰＵ１３から制御信号が供給される。そして、ＰＮＰトランジスタ１８は、制御信号が供給されたことに応じて、この制御信号を増幅して給電制御ＦＥＴ１９に供給し、給電制御ＦＥＴ１９を動作させる。
【００１９】
給電制御ＦＥＴ１９は、電源部１４、ＰＮＰトランジスタ１８および後述の駆動系電源用電気接点２１Ｈに接続されている。給電制御ＦＥＴ１９は、ＰＮＰトランジスタ１８から制御信号を供給されたことに応じて、電源部１４から供給された電力を駆動系電源用電気接点２１Ｈに供給する。
【００２０】
プルアップ抵抗２０は、給電制御ＦＥＴ１９のゲート・ソース間に接続される。プルアップ抵抗２０は、カメラＣＰＵ１３が動作を停止している場合において、給電制御ＦＥＴ１９を安定してＯＦＦさせる。
【００２１】
複数のカメラ側電気接点２１は、図１に示すように、マウント部１２に設けられており、カメラ１０からレンズ鏡筒１００に対する電力供給およびカメラ１０とレンズ鏡筒１００との通信を行うための接触式の接点である。複数のカメラ側電気接点２１は、給電制御ＦＥＴ１６に接続されたロジック系電源用電気接点２１Ａと、グランドに接続されたロジック系グランド用電気接点２１Ｂと、カメラＣＰＵ１３のシリアルクロック出力素子１３Ａに接続されたシリアルクロック用電気接点２１Ｃと、カメラＣＰＵ１３のシリアルデータ出力素子１３Ｂに接続されたシリアルデータ出力用電気接点２１Ｄと、カメラＣＰＵ１３のシリアルデータ入力素子１３Ｃに接続されたシリアルデータ入力用電気接点２１Ｅと、カメラＣＰＵ１３の通信許可信号入力素子１３Ｄに接続された通信許可信号用電気接点２１Ｆと、グランドに接続された駆動系グランド用電気接点２１Ｇと、給電制御ＦＥＴ１９に接続された駆動系電源用電気接点２１Ｈと、から構成される。
【００２２】
図２および図３に示すように、レンズ鏡筒１００は、内部にマウント部１０１、レンズＣＰＵ１０２、ＤＣ／ＤＣコンバータ１０３、電圧レギュレータ１０４、入力側コンデンサ１０５、出力側コンデンサ１０６、ダイオード１０７、給電制御ＦＥＴ１０８、プルアップ抵抗１０９、複数のレンズ側電気接点１１０、手振れ補正制御回路１１１およびＡＦアクチュエータ制御回路１１２を備える。
【００２３】
マウント部１０１は、マーキングＭＫ２と、レンズ側爪部１０１Ａとを備えている。上述したように、カメラ側爪部１２Ａと後述のレンズ側爪部１０１Ａとが係合されることにより、カメラ筐体１１にレンズ鏡筒１００が装着される。
【００２４】
レンズＣＰＵ１０２は、レンズ鏡筒１００の各部を統括制御するマイクロコンピュータであり、複数のレンズ側電気接点１１０を介してカメラＣＰＵ１３との通信を行う。また、レンズＣＰＵ１０２は、カメラＣＰＵ１３から受信したシリアルデータに基づいて、手振れ補正制御回路１１１およびＡＦアクチュエータ制御回路１１２に制御信号を出力する。レンズＣＰＵ１０２は、内部にシリアルクロック入力素子１０２Ａと、シリアルデータ入力素子１０２Ｂと、シリアルデータ出力素子１０２Ｃと、通信許可信号出力素子１０２Ｄと、を備える。
【００２５】
ＤＣ／ＤＣコンバータ１０３は、後述の駆動系電源用電気接点１１０Ｈ、手振れ補正制御回路１１１およびＡＦアクチュエータ制御回路１１２に接続されている。ＤＣ／ＤＣコンバータ１０３は、駆動系電源用電気接点１１０Ｈを介してカメラ１０から供給される電力を所定の電圧レベルに制御し、制御された電力を手振れ補正制御回路１１１およびＡＦアクチュエータ制御回路１１２に供給する。また、ＤＣ／ＤＣコンバータ１０３は、グランドに接続されている。
【００２６】
電圧レギュレータ１０４は、レンズＣＰＵ１０２、入力側コンデンサ１０５、出力側コンデンサ１０６、ダイオード１０７、給電制御ＦＥＴ１０８、およびプルアップ抵抗１０９に接続されている。電圧レギュレータ１０４は、レンズＣＰＵ１０２から入力される制御信号に基づいて、ダイオード１０７および給電制御ＦＥＴ１０８を介してカメラ１０から供給される電力の電圧を調整する。そして、電圧レギュレータ１０４は、電圧が調整された電力を手振れ補正制御回路１１１およびＡＦアクチュエータ制御回路１１２に供給する。
【００２７】
入力側コンデンサ１０５は、電圧レギュレータ１０４の入力側、すなわち、電圧レギュレータ１０４のレンズ側電気接点１１０側において、電圧レギュレータ１０４と並列に接続されている。入力側コンデンサ１０５は、電圧レギュレータ１０４の動作を安定させる平滑コンデンサである。
出力側コンデンサ１０６は、電圧レギュレータ１０４の出力側、すなわち、電圧レギュレータ１０４の手振れ補正制御回路１１１側において、電圧レギュレータ１０４と並列に接続されている。出力側コンデンサ１０６は、電圧レギュレータ１０４の出力電圧を安定させる平滑コンデンサである。出力側コンデンサ１０６の容量は、入力側コンデンサ１０５の容量と約同一であり、出力側コンデンサ１０６の容量と、入力側コンデンサ１０５の容量との不均衡による電圧レギュレータ１０４の発振が防止されている。
【００２８】
ダイオード１０７は、入力側コンデンサ１０５とロジック系電源用電気接点１１０Ａとの間に、ロジック系電源用電気接点１１０Ａから入力側コンデンサ１０５に電流が流れるように接続されている。ダイオード１０７は、入力側コンデンサ１０５に充電された電荷がロジック系電源用電気接点１１０Ａに対して流れるのを防ぐ。
【００２９】
給電制御ＦＥＴ１０８は、ダイオード１０７に並列に接続されており、レンズＣＰＵ１０２の制御によって、ロジック系電源用電気接点１１０Ａを介してカメラ１０から供給される電力を電圧レギュレータ１０４に供給する。なお、給電制御ＦＥＴ１０８がＯＮ状態である場合の抵抗は、数十ｍΩであり、給電制御ＦＥＴ１０８における電圧降下は無視できるレベルである。
プルアップ抵抗１０９は、給電制御ＦＥＴ１０８のゲート・ソース間に接続される。プルアップ抵抗１０９は、レンズＣＰＵ１０２における給電制御ＦＥＴ１０８に接続される端子が、ハイインピーダンス（Ｈｉ−Ｚ）の場合において、給電制御ＦＥＴ１０８を安定してＯＦＦさせる。
【００３０】
複数のレンズ側電気接点１１０は、図１に示すように、マウント部１０１に設けられており、カメラ１０からレンズ鏡筒１００に対する電力供給およびカメラ１０とレンズ鏡筒１００との通信を行うための接触式の接点である。複数のレンズ側電気接点１１０は、ダイオード１０７および給電制御ＦＥＴ１０８に接続されたロジック系電源用電気接点１１０Ａと、グランドに接続されたロジック系グランド用電気接点１１０Ｂと、レンズＣＰＵ１０２のシリアルクロック入力素子１０２Ａに接続されたシリアルクロック用電気接点１１０Ｃと、レンズＣＰＵ１０２のシリアルデータ入力素子１０２Ｂに接続されたシリアルデータ出力用電気接点１１０Ｄと、レンズＣＰＵ１０２のシリアルデータ出力素子１０２Ｃに接続されたシリアルデータ入力用電気接点１１０Ｅと、レンズＣＰＵ１０２の通信許可信号出力素子１０２Ｄに接続された通信許可信号用電気接点１１０Ｆと、グランドに接続された駆動系グランド用電気接点１１０Ｇと、ＤＣ／ＤＣコンバータ１０３に接続された駆動系電源用電気接点１１０Ｈと、から構成される。
【００３１】
手振れ補正制御回路１１１は、不図示のＶＲ（Ｖｉｂｒａｔｉｏｎ  Ｒｅｄｕｃｔｉｏｎ）モータに接続されており、このＶＲモータの駆動制御をすることによって、レンズ鏡筒１００を装着したカメラ１０で被写体を撮影する撮影者の手振れ振動が、レンズ鏡筒１００の不図示のブレ補正レンズに伝わるのを低減させる。
ＡＦアクチュエータ制御回路１１２は、不図示のＡＦアクチュエータとしてのＡＦモータに接続されており、このＡＦモータの駆動制御をすることによって、オートフォーカス（ＡＦ）を制御する。
【００３２】
次に、カメラ筐体１１にレンズ鏡筒１００を装着した場合のレンズ鏡筒１００の動作について詳細に説明する。図５乃至図７は、カメラ筐体１１にレンズ鏡筒１００を着脱した場合におけるレンズ鏡筒１００の動作を説明する図である。また、図８は、カメラ筐体１１にレンズ鏡筒１００を着脱した場合におけるレンズ鏡筒１００の処理の流れを示すフローチャートである。
【００３３】
図２に示す状態において、レンズＣＰＵ１０２における給電制御ＦＥＴ１０８および電圧レギュレータ１０４に接続される端子は、電圧が印加されるまで、ハイインピーダンス状態（Ｈｉ−Ｚ）である。このため、給電制御ＦＥＴ１０８のゲート端子は、プルアップ抵抗１０９によりプルアップされ、ＯＦＦ状態となっている。
【００３４】
この状態において、カメラＣＰＵ１３は、カメラ筐体１１にレンズ鏡筒１００が装着されたことを検出したことに応じて、給電制御ＦＥＴ１６に制御信号を供給し、給電制御ＦＥＴ１６をＯＮ状態とする（ステップＳ１）。すると、給電制御ＦＥＴ１６は、ＤＣ／ＤＣコンバータ１５から供給される電力をロジック系電源用電気接点２１Ａに供給する。この場合、ロジック系電源用電気接点２１Ａおよび１１０Ａは接触しているため、図５に示される矢印のように、ダイオード１０７を介して電力が供給され、レンズＣＰＵ１０２のＶｄｄ、電圧レギュレータ１０４および入力側コンデンサ１０５に電圧が印加される（ステップＳ２）。
【００３５】
レンズＣＰＵ１０２は、電圧が印加されたことにより起動して（ステップＳ３）、給電制御ＦＥＴ１０８および電圧レギュレータ１０４に接続される端子など、各端子の初期化を行う。この状態において、レンズＣＰＵ１０２における給電制御ＦＥＴ１０８および電圧レギュレータ１０４に接続される端子は、電圧が印加されるまで、ハイインピーダンス状態（Ｈｉ−Ｚ）である。
【００３６】
その後、レンズＣＰＵ１０２は、シリアルクロック入力素子１０２Ａに対して、カメラ１０からシリアルクロックが入力されたかについて監視する（ステップＳ４）。そして、レンズＣＰＵ１０２は、シリアルクロック入力素子１０２Ａに対して所定のクロック信号が入力された場合（ステップＳ４においてＹＥＳの場合）、給電制御ＦＥＴ１０８に制御信号を供給し、給電制御ＦＥＴ１０８をＯＮ状態とする（ステップＳ５）。すると、図６に示される矢印のように、ダイオード１０７および給電制御ＦＥＴ１０８を介して電力が供給され、レンズＣＰＵ１０２のＶｄｄ、電圧レギュレータ１０４および入力側コンデンサ１０５に電圧が印加される。その後、レンズＣＰＵ１０２は、電圧レギュレータ１０４に対して制御信号を供給し、電圧レギュレータ１０４を起動させる（ステップＳ６）。また、入力側コンデンサ１０５には電荷が充電され、カメラ１０から供給される電力が不安定となった場合に、放電して電圧レギュレータ１０４に電力を供給することによって電圧レギュレータ１０４の動作を安定させる。
【００３７】
その後、レンズＣＰＵ１０２は、シリアルクロック入力素子１０２Ａに対して、カメラ１０からシリアルクロックが入力されたかについて監視する（ステップＳ７）。そして、レンズＣＰＵ１０２は、シリアルクロック入力素子１０２Ａに対して所定のクロック信号が入力されなくなった場合（ステップＳ７においてＮＯの場合）、カメラ筐体１１からレンズ鏡筒１００が外されたと判定する。そして、レンズＣＰＵ１０２は、電圧レギュレータ１０４と給電制御ＦＥＴ１０８とを停止、すなわち、ＯＦＦ状態にさせる（ステップＳ８、ステップＳ９）。
【００３８】
この状態において、入力側コンデンサ１０５には電荷が充電されている。しかしながら、給電制御ＦＥＴ１０８がＯＦＦ状態であり、かつ、ダイオード１０７が配置されていることから、入力側コンデンサ１０５に充電されている電荷がロジック系電源用電気接点１１０Ａに対して逆流することが防止される。
【００３９】
以上、本実施形態によると、以下の効果を有する。
レンズ鏡筒１００は、入力側コンデンサ１０５と、ロジック系電源用電気接点１１０Ａとの間に設けられ、該ロジック系電源用電気接点１１０Ａへの電流の逆流を防止するダイオード１０７を備える。これにより、レンズ鏡筒１００がカメラ筐体１１から外された場合において、入力側コンデンサ１０５に充電された電荷がロジック系電源用電気接点１１０Ａへの電流の逆流を防止して、カメラ１０とレンズ鏡筒１００との通信に使用される部品の破損を防止することができる。よって、レンズ鏡筒１００は、良好に通信を行うことができる。
【００４０】
ここで、本実施形態のレンズ鏡筒１００との比較のため、レンズ鏡筒のロジック系電源用電気接点に対してダイオードおよびＦＥＴを接続しない場合について説明する。図９は、レンズ鏡筒のロジック系電源用電気接点に対してダイオードおよびＦＥＴを接続しない場合のカメラシステムの回路図である。
【００４１】
図９に示される回路に対応するカメラおよびレンズ鏡筒がバヨネット式で装着される場合、図１０に示されるように、対応する電気接点同士が接続されずに、対応しない電気接点同士が接続される場合がある。この場合、電圧レギュレータの入力側コンデンサに充電された電荷がレンズ側のロジック系電源用電気接点とカメラ側のロジック系グランド用電気接点とを介してカメラＣＰＵに印加される。この状態において、カメラＣＰＵの各端子では、制御信号を供給すると短絡の可能性があることから、制御信号が供給されず、ＯＦＦ状態（Ｌｏ状態）とされる。すると、カメラＣＰＵに流れ込んだ電流が、図１０および図１３に示すように、カメラＣＰＵ内部に設けられた素子を経由してレンズ鏡筒に還流する。この電流が、この素子を構成するＦＥＴの耐電流を超える場合、当該ＦＥＴに悪影響を与える可能性がある。
【００４２】
同様に、図１１および図１２に示されるように対応しない電気接点同士が接続された場合においても、電圧レギュレータの入力側コンデンサに充電された電荷がレンズ側のロジック系電源用電気接点とカメラ側のロジック系グランド用電気接点とを介してカメラＣＰＵに印加される。この状態において、カメラＣＰＵの各端子においてＯＦＦ状態（Ｌｏ状態）とされると、カメラＣＰＵに流れ込んだ電流が、それぞれ、図１１および図１４ならびに図１２および図１５に示されるようにカメラＣＰＵに設けられた素子を経由してレンズ鏡筒に還流する。この電流が、この素子を構成するＦＥＴの耐電流を超える場合、当該ＦＥＴに悪影響を与える可能性がある。
【００４３】
レンズ鏡筒１００は、ダイオード１０７に並列に接続され、ロジック系電源用電気接点１１０Ａに流れる電流をバイパスする給電制御ＦＥＴ１０８を備え、レンズＣＰＵ１０２により、ＦＥＴ１０９のゲート端子状態を制御する。一般的にＦＥＴがＯＮ状態である場合のＦＥＴの制限抵抗は、ゲート、ソース間の電圧差が大きい場合に、小さくなる傾向がある。給電制御ＦＥＴ１０８がＯＮ状態である場合の抵抗は、数十ｍΩであり、給電制御ＦＥＴ１０８における電圧降下は無視できるレベルであるので、レンズ鏡筒１００は、電圧レギュレータ１０４に対して、カメラ１０から供給される電力を良好に供給することができる。
【００４４】
レンズＣＰＵ１０２は、複数のカメラ側電気接点２１のそれぞれと複数のレンズ側電気接点１１０のそれぞれとの間で伝達される情報に基づいて、カメラ筐体１１からレンズ鏡筒１００が取り外されたことを認識する。このようにすることで、レンズ鏡筒１００では、電気接点を介して伝達される情報に基づいてカメラ筐体１１からレンズ鏡筒１００が取り外されたことを認識することができる。
レンズＣＰＵ１０２は、複数のカメラ側電気接点２１の少なくともいずれかと複数のレンズ側電気接点１１０の少なくともいずれかとの間で伝達される、カメラ１０とレンズ鏡筒１００との通信同期を取るシリアル通信クロック信号に基づいて、カメラ筐体１１からレンズ鏡筒１００が取り外されたことを認識する。通信同期を取るシリアル通信クロック信号は、カメラ１０が起動している場合に常に出力されている信号である。よって、レンズ鏡筒１００は、シリアル通信クロック信号を用いることによって、カメラ筐体１１からレンズ鏡筒１００が取り外されたことを精度よく認識することができる。
【００４５】
以上、説明した実施形態に限定されることなく、種々の変形や変更が可能であり、それらも本発明の範囲内である。
【符号の説明】
【００４６】
１：カメラシステム、１０：カメラ、１１：カメラ筐体、１２，１０１：マウント部、１２Ａ：カメラ側爪部、１３：カメラＣＰＵ、１３Ａ：シリアルクロック出力素子、１３Ｂ，１０２Ｃ：シリアルデータ出力素子、１３Ｃ，１０２Ｂ：シリアルデータ入力素子、１３Ｄ：通信許可信号入力素子、１４：電源部、１５，１０３：ＤＣ／ＤＣコンバータ、１６，１９，１０８：給電制御ＦＥＴ、１７，２０，１０９：プルアップ抵抗、１８：ＰＮＰトランジスタ、２１：カメラ側電気接点、２１Ａ，１１０Ａ：ロジック系電源用電気接点、２１Ｂ，１１０Ｂ：ロジック系グランド用電気接点、２１Ｃ，１１０Ｃ：シリアルクロック用電気接点、２１Ｄ，１１０Ｄ：シリアルデータ出力用電気接点、２１Ｅ，１１０Ｅ：シリアルデータ入力用電気接点、２１Ｆ，１１０Ｆ：通信許可信号用電気接点、２１Ｇ，１１０Ｇ：駆動系グランド用電気接点、２１Ｈ，１１０Ｈ：駆動系電源用電気接点、１００：レンズ鏡筒、１０１Ａ：レンズ側爪部、１０２：レンズＣＰＵ、１０２Ａ：シリアルクロック入力素子、１０２Ｄ：通信許可信号出力素子、１０４：電圧レギュレータ、１０５：入力コンデンサ、１０６：出力側コンデンサ、１０７：ダイオード、１１０：レンズ側電気接点、１１１：手振れ補正制御回路、１１２：ＡＦアクチュエータ制御回路、ＭＫ１，ＭＫ２：マーキング
【図１】
0005857604.tif 000002
【図２】
0005857604.tif 000003
【図３】
0005857604.tif 000004
【図４】
0005857604.tif 000005
【図５】
0005857604.tif 000006
【図６】
0005857604.tif 000007
【図７】
0005857604.tif 000008
【図８】
0005857604.tif 000009
【図９】
0005857604.tif 000010
【図１０】
0005857604.tif 000011
【図１１】
0005857604.tif 000012
【図１２】
0005857604.tif 000013
【図１３】
0005857604.tif 000014
【図１４】
0005857604.tif 000015
【図１５】
0005857604.tif 000016